(57)【要約】【課題】ポータブルＨＤＤ装置において、ＩＤＥコネクタとＵＳＢコネクタでの接続を可能とする。【解決手段】ポータブルＨＤＤ装置１０は、ＩＤＥコネクタ１２とＵＳＢコネクタ１４を備える。ＩＤＥコネクタ１２とＵＳＢコネクタ１４は上位装置であるデータレコーダのスロット挿入面に形成される。ポータブルＨＤＤ装置１０をデータレコーダに接続する際にはスロットに挿入してＩＤＥコネクタ１２を電気的に接続する。このとき、ＵＳＢコネクタ１４もスロット内に進入するためＵＳＢコネクタ１４の使用が禁止される。【選択図】図１
2007073160.tif 000002
【特許請求の範囲】
【請求項１】
上位装置により制御される装置部と、
前記装置部と前記上位装置との間でデータ交換を可能とする第１及び第２のインタフェース部と、
を有し、
前記第１のインタフェース部を第１の上位装置に接続した場合には前記第２のインタフェース部は接続不可状態となり、前記第２のインタフェース部を第２の上位装置に接続した場合には前記第１のインタフェース部は接続不可状態となることで前記第１のインタフェース部と前記第２のインタフェース部は択一的に選択使用されることを特徴とする周辺装置。
【請求項２】
請求項１記載の装置において、
前記第１のインタフェース部と前記第２のインタフェース部は前記第１の上位装置に対する挿入面あるいはその近傍に形成され、
前記第１のインタフェース部を前記第１の上位装置に挿入接続した場合に前記第２のインタフェース部は前記第１の上位装置内に進入することで接続不可状態となることを特徴とする周辺装置。
【請求項３】
請求項２記載の装置において、
前記第１のインタフェース部を前記第１の上記装置から引き抜いた場合に前記第１のインタフェース部は蓋部材により外部から遮断されることで接続不可状態となることを特徴とする周辺装置。
【請求項４】
請求項１〜３のいずれかに記載の装置において、
前記装置部はハードディスクドライブであり、
前記第１のインタフェース部はＩＤＥコネクタであり、
前記第２のインタフェース部はＵＳＢコネクタである
ことを特徴とする周辺装置。
【発明の詳細な説明】
【技術分野】
【０００１】
本発明は周辺装置、特に上位装置により制御され動作する周辺装置のインタフェース構造に関する。
【背景技術】
【０００２】
従来より、ＵＳＢコネクタを備えたポータブルＨＤＤが知られている。このようなポータブルＨＤＤは内部にＵＳＢ−ＡＴＡＰＩ変換回路を有しており、ＵＳＢケーブルを用いてコンピュータに接続することで、コンピュータから電源供給を受けるとともにデータの読み書きを行う。しかし、ＵＳＢコネクタは利便性がある一方、ＵＳＢ−ＡＴＡＰＩのプロトコル変換が必要となるためデータの読み書き速度が低下してしまう。したがって、ＵＳＢコネクタのみではなく、複数のインタフェースを備えることが望まれる。
【０００３】
下記の特許文献には、光ディスク装置に関するものであるが、光ディスク装置の前面側にＵＳＢコネクタ、背面側にＩＤＥコネクタを設け、いずれかのインタフェースに上記装置を接続する構成が開示されている。
【０００４】
【特許文献１】特開２００３−５８４８８号公報
【発明の開示】
【発明が解決しようとする課題】
【０００５】
このように、装置にＵＳＢコネクタとともにＩＤＥコネクタを設けることで多様な接続が可能となるが、本来であれば上位装置であるデータレコーダにＩＤＥコネクタで接続して高速記録する必要があるところＵＳＢコネクタで接続してしまう、あるいは単にデータを読み出すために上位装置であるコンピュータにＵＳＢコネクタで接続すれば済むところＩＤＥで接続してしまう等の不都合が生じ得る。
【０００６】
本発明の目的は、複数のインタフェース部を備えるとともに、これらを効率的かつ確実に選択使用することのできる装置を提供することにある。
【課題を解決するための手段】
【０００７】
本発明は、上位装置により制御される装置部と、前記装置部と前記上位装置との間でデータ交換を可能とする第１及び第２のインタフェース部とを有し、前記第１のインタフェース部を第１の上位装置に接続した場合には前記第２のインタフェース部は接続不可状態となり、前記第２のインタフェース部を第２の上位装置に接続した場合には前記第１のインタフェース部は接続不可状態となることで前記第１のインタフェース部と前記第２のインタフェース部は択一的に選択使用されることを特徴とする。
【０００８】
本発明の１つの実施形態では、前記第１のインタフェース部と前記第２のインタフェース部は前記第１の上位装置に対する挿入面あるいはその近傍に形成され、前記第１のインタフェース部を前記第１の上位装置に挿入接続した場合に前記第２のインタフェース部は前記第１の上位装置内に進入することで接続不可状態となる。
【０００９】
また、本発明の他の実施形態では、前記第１のインタフェース部を前記第１の上記装置から引き抜いた場合に前記第１のインタフェース部は蓋部材により外部から遮断されることで接続不可状態となる。
【発明の効果】
【００１０】
本発明によれば、第１のインタフェース部を使用した場合に第２のインタフェース部が使用不可となり、第２のインタフェース部を使用した場合には第１のインタフェース部が使用不可となるため、両インタフェースの確実な使い分けができる。また、両インタフェースの同時使用による誤動作を防止できる。
【発明を実施するための最良の形態】
【００１１】
以下、図面に基づき本発明の実施形態について、ポータブルＨＤＤ装置を例にとり説明する。
【００１２】
図１に、本実施形態にかかるポータブルＨＤＤ装置１０の構成を示す。ポータブルＨＤＤ装置１０は第１のインタフェース部としてＩＤＥコネクタ１２を有し、第２のインタフェース部としてＵＳＢコネクタ１４を有する。ＩＤＥコネクタ１２は２．５インチＨＤＤドライブ１６に接続され、ＵＳＢコネクタ１４はＵＳＢ−ＡＴＡＰＩ変換回路１８を介して２．５インチＨＤＤドライブ１６に接続される。ポータブルＨＤＤ装置１０の電源はＩＤＥコネクタ１２あるいはＵＳＢコネクタ１４を介して上位装置から供給される。すなわち、本実施形態のポータブルＨＤＤ装置１０は電源部あるいは電源ユニットを必要としない。
【００１３】
本実施形態における上位装置は２種類ある。１つはデータレコーダであり、他はコンピュータである。データレコーダは計測対象に設けられたセンサからの検出信号をサンプリングして記録する装置であり、ポータブルＨＤＤ装置１０をデータレコーダに接続して検出データを２．５インチＨＤＤドライブ１６に記録する。検出データを高速で記録する必要があることから、上位装置であるデータレコーダとポータブルＨＤＤ装置１０との接続にはＩＤＥコネクタ１２が使用される。一方、２．５インチＨＤＤドライブ１６に記録されたデータを読み出して解析する際にはポータブルＨＤＤ装置１０をコンピュータに接続して検出データを読み出す。コンピュータとの接続にはＵＳＢコネクタ１６が使用される。
【００１４】
上記の従来技術における光ディスク装置においては、ＵＳＢコネクタは装置の前面、ＩＤＥコネクタは装置の背面側に設けられているが、本実施形態ではＩＤＥコネクタ１２はポータブルＨＤＤ装置１０の６面のうち、データレコーダのＨＤＤ挿入スロットに挿入すべき挿入面の下部に設けられており、ＵＳＢコネクタ１４も同じ挿入面の上部に設けられている。ポータブルＨＤＤ装置１０をデータレコーダに接続すべくその挿入面をデータレコーダのスロットに挿入すると、ＩＤＥコネクタ１２がデータレコーダ側のコネクタと電気的に接続するとともにＵＳＢコネクタ１４もデータレコーダのスロット内に進入するため、ＵＳＢコネクタ１４が外部から視認できず外部からアクセスできなくなる。
【００１５】
図２に、ポータブルＨＤＤ装置１０をデータレコーダ１に接続するためにポータブルＨＤＤ装置１０をデータレコーダ１のスロットに挿入した状態を示す。挿入状態ではＩＤＥコネクタ１２はデータレコーダ１側のコネクタと電気的に接続され、データレコーダ１から供給された検出データを２．５インチＨＤＤドライブ１６に供給して記録する。一方、ＵＳＢコネクタ１４は電気的に非接続状態であってデータレコーダ１のスロット内に存在するため、外部からＵＳＢケーブルを接続することができない。このようにして、ＩＤＥコネクタ１２使用時におけるＵＳＢコネクタ１４の接続不可状態が実現する。
【００１６】
本実施形態では、ＩＤＥコネクタ１２とＵＳＢコネクタ１４をともにポータブルＨＤＤ装置１０の挿入面に形成しているが、図２に示すようにＵＳＢコネクタ１４の代わりにＵＳＢコネクタ１５を挿入面と異なる面であるが挿入面近傍の位置に形成してもよい。ＵＳＢコネクタ１５を挿入面の近傍に形成しても、ポータブルＨＤＤ装置１０をデータレコーダ１のスロットに挿入した場合にＵＳＢコネクタ１５がスロット内に進入し、外部から視認することが困難でＵＳＢケーブルを挿入できない状態になっていればよい。もちろん、ＵＳＢコネクタは１個に限らず、複数個設けてもよい。
【００１７】
図３に、ポータブルＨＤＤ装置１０を他の上位装置であるコンピュータ２に接続する状態を示す。ポータブルＨＤＤ装置１０とコンピュータ２はＵＳＢケーブル１００を介して接続される。このとき、ＵＳＢコネクタ１４が接続状態となるが、ＩＤＥコネクタ１２は蓋部１３で密閉されて外部から視認できない状態となっている。すなわち、ＩＤＥコネクタ１２のコネクタ周縁部には開閉自在に支持された蓋部材１３が弾性部材で付勢されており、データレコーダ１への挿入時には蓋部材１３が弾性力に抗してポータブルＨＤＤ装置１０の内部に押し開かれてＩＤＥコネクタ１２を露出し接続を可能とする一方、データレコーダ１から引き抜いた状態では弾性力により蓋部材１３は閉じてＩＤＥコネクタ１２を装置内部に密閉する。したがって、ユーザはポータブルＨＤＤ装置１０をコンピュータ２に接続する際には、ＵＳＢコネクタ１４のみを視認でき、このＵＳＢコネクタ１４にＵＳＢケーブルを接続することになる。
【００１８】
以上説明したように、本実施形態では、ポータブルＨＤＤ装置１０をデータレコーダ１に接続する際にはＩＤＥコネクタ１２を用いて接続することで高速記録を可能とするとともに、ＵＳＢコネクタ１４への接続を不可状態とすることで、同時にＵＳＢコネクタ１４にコンピュータ２を接続してしまうことにより生じる誤動作や制御上のトラブルを確実に防止できる。また、ＵＳＢコネクタ１４を用いてコンピュータ２と接続可能とすることで、特別な読み取り装置を別途用意することなくポータブルＨＤＤ装置１０に記録された検出データを読み出して解析することができる。さらに、ＵＳＢコネクタ１４をデータ読み出し専用端子とすることで、ポータブルＨＤＤ装置１０に記録されているデータを不用意に書き換えてしまうことを防止でき、マスタデータを確実に保護することも可能となる。
【００１９】
なお、本実施形態では、ＵＳＢコネクタ１４の接続時にＩＤＥコネクタ１２を接続不可状態とするための手段として弾性部材で付勢された蓋部材によりＩＤＥコネクタ１２を装置内部に密閉する構成としたが、シャッタ部材あるいはカバー部材のいずれでもよく、データレコーダ１の部材と係合することでスロット挿入時にのみＩＤＥコネクタ１２を装置外部に露出させる任意の機構を用いることができる。
【図面の簡単な説明】
【００２０】
【図１】ポータブルＨＤＤ装置の構成図である。
【図２】ポータブルＨＤＤ装置をデータレコーダに接続する状態を示す図である。
【図３】ポータブルＨＤＤ装置をコンピュータに接続する状態を示す図である。
【符号の説明】
【００２１】
１  データレコーダ、２  コンピュータ、１０  ポータブルＨＤＤ装置、１２  ＩＤＥコネクタ、１４  ＵＳＢコネクタ。
【図１】
2007073160.tif 000003
【図２】
2007073160.tif 000004
【図３】
2007073160.tif 000005